(57)【特許請求の範囲】
【請求項１】
上部フレームと、底部と、上部フレームにその上端部が枢支されたはね上げ側壁と、上下に分割された分割側壁とからなる折り畳みコンテナーにおいて、はね上げ側壁には、その垂直中心線を挟んで、対称に、縦長の内側細溝と同じく縦長の外側細溝を穿設し、また、中仕切り部材には、上記内側細溝と外側細溝に挿通される取付突片を形成するとともに、取付突片には係合舌片を形成し、取付突片と係合舌片とにより、はね上げ側壁の内側細溝と外側細溝との間に位置する部分を挟持するようにしたことを特徴とする折り畳みコンテナー。
【請求項２】
中仕切り部材が、はね上げ側壁に取り付けられた状態においては、中仕切り部材に形成された取付突片が、中仕切り部材の取付突片の高さより狭い間隔を有するはね上げ側壁に穿設された外側細溝の上部傾斜部と下部傾斜部の傾斜面に当接し、弾性変形するように構成されていることを特徴とする請求項１に記載の折り畳みコンテナー。
【発明の詳細な説明】
【０００１】
【発明の属する技術分野】
本発明は、種々の物品の保管、輸送或いは搬送等に使用される折り畳みコンテナー、特に、中仕切り部材が配設された折り畳みコンテナーに関するものである。
【０００２】
【従来の技術】
従来、額縁状の上部フレームと底部との間に配設される４枚の側壁のうち、一方の相対する側壁を上下に分割し、分割した側壁をヒンジで連結して折り畳み可能に構成し、また、もう一方の相対する側壁の上端部を上部フレームに枢着し、上方に回動可能に構成された折り畳みコンテナーが知られており、箱型に組み立てられた折り畳みコンテナーは、上部フレームにその上端部が枢着された側壁を、略垂直状態から、折り畳みコンテナーの内部方向に、略水平状態まで回動させ、次いで、上下に分割された側壁を、ヒンジ部分で折り畳むことにより、箱型に組み立てられた折り畳みコンテナーを、高さの低いコンパクトな状態に折り畳むことができるように構成されている。
【０００３】
上述した折り畳みコンテナーに、瓶や缶等の種々の物品を区分けして収容するために、上端部を上部フレームに枢着し、上方に回動可能に構成した側壁（以下、このような側壁を、単に、はね上げ側壁という。）に、収容空間を有する中仕切り部材を配設した折り畳みコンテナーが知られている（例えば、特開２００１−５８６３５号公報等）。
【０００４】
【発明が解決しようとする課題】
上述した従来の折り畳みコンテナーにおいては、中仕切り部材を取り付けるために、はね上げ側壁に、コの字状やＣ字状やＷ字状等の複雑な形状の複数の切り欠きが形成されているために、はね上げ側壁の強度が大きく低下するという問題があった。
【０００５】
また、中仕切り部材が、はね上げ側壁に、しっかりと取り付けられていないために、中仕切り部材が、はね上げ側壁から外れたり、はね上げ側壁から浮き上がるという問題があった。
【０００６】
本発明の目的は、上述した従来の折り畳みコンテナーが有する課題を解決することにある。
【０００７】
【課題を解決するための手段】
本発明は、上述した目的を達成するために、上部フレームと、底部と、上部フレームにその上端部が枢支されたはね上げ側壁と、上下に分割された分割側壁とからなる折り畳みコンテナーにおいて、第１には、はね上げ側壁には、その垂直中心線を挟んで、対称に、縦長の内側細溝と同じく縦長の外側細溝を穿設し、また、中仕切り部材には、上記内側細溝と外側細溝に挿通される取付突片を形成するとともに、取付突片には係合舌片を形成し、取付突片と係合舌片とにより、はね上げ側壁の内側細溝と外側細溝との間に位置する部分を挟持するようにしたものであり、第２には、中仕切り部材が、はね上げ側壁に取り付けられた状態においては、中仕切り部材に形成された取付突片が、中仕切り部材の取付突片の高さより狭い間隔を有するはね上げ側壁に穿設された外側細溝の上部傾斜部と下部傾斜部の傾斜面に当接し、弾性変形するように構成されているものである。
【０００８】
【実施例】
以下に、本発明の実施例について説明するが、本発明の趣旨を越えない限り何ら、本実施例に限定されるものではない。
【０００９】
折り畳みコンテナーは、上部フレーム１と、底部２と、上部フレーム１にその上端部がヒンジ連結され、折り畳みコンテナーの内側方向に回動可能に構成された相対する一対のはね上げ側壁３と、上下に分割されているとともに、適当なヒンジ４ａにより連結された側壁（以下、この側壁を「分割側壁」という。）４とから構成されている。分割側壁４は、ヒンジ４ａを挟んで上方に位置する上部分割側壁４’と、ヒンジ４ａを挟んで下方に位置する下部分割側壁４”とから構成されており、上部分割側壁４’の上端部は、上部フレーム１にヒンジ連結されており、また、下部分割側壁４”の下端部は、底部２にヒンジ連結されている。また、折り畳みコンテナーには、必要に応じて、蓋部材５が配設されており、本実施例においては、蓋部材５は、２つに分割された半蓋５ａから形成されており、半蓋５ａの一端は、上部フレーム１にヒンジ連結されている。
【００１０】
図１に示されている箱型状態の折り畳みコンテナーの略垂直状のはね上げ側壁３を、折り畳みコンテナーの内部方向に回動させて、略水平状態とし、次いで、分割側壁４を構成する上部分割側壁４’と下部分割側壁４”を連結しているヒンジ４ａを、折り畳みコンテナーの内部方向に移動させて、上部分割側壁４’と下部分割側壁４”とを重ねることにより、箱型状態の折り畳みコンテナーを、図４に示されているように、高さの低いコンパクトな状態に折り畳むことができるように構成されている。
【００１１】
次に、主として、図５〜図１０を用いて、中仕切り部材６及び中仕切り部材６のはね上げ側壁３への取り付け手段について説明する。
【００１２】
中仕切り部材６は、はね上げ側壁３の横幅と略同じ幅を有する仕切り板６ａと、仕切り板６ａに対して直交するように配置される仕切り板６ｂとを有している。仕切り板６ａは、中仕切り部材６を、箱型に組み立てられた折り畳みコンテナーに取り付けた際には、はね上げ側壁３と略平行に配置されることになり、以下、この仕切り板６ａを、はね上げ側仕切り板と称する。また、仕切り板６ｂは、中仕切り部材６を箱型に組み立てられた折り畳みコンテナーに取り付けた際には、分割側壁４と略平行に配置されるとともに、分割側壁４の横幅の略半分の幅を有しており、以下、この仕切り板６ｂを、分割側仕切り板と称する。このようなはね上げ側仕切り板６ａと分割側仕切り板６ｂは、折り畳みコンテナーに収容される物品の大きさ等に応じて、適当、枚数使用されることになるが、本実施例においては、便宜的に、２枚のはね上げ側仕切り板６ａと、２枚の分割側仕切り板６ｂが使用されている例が示されている。
【００１３】
本実施例においては、分割側仕切り板６ｂの一方の端部は、一方のはね上げ側仕切り板６ａに当接しており、もう一方のはね上げ側仕切り板６ａは、分割側仕切り板６ｂと、その中央部において交差している。また、分割側仕切り板６ｂのもう一方の端部は、該端部に近い方に位置するはね上げ側仕切り板６ａから突出しており、この突出した分割側仕切り板６ｂの端部は、連結板６ｃにより連結されている。そして、はね上げ側仕切り板６ａ、分割側仕切り板６ｂ、連結板６ｃ、はね上げ側壁３の内壁面及び分割側壁４の内壁面とにより、図２に示されているように、物品が収容される区画された収容空間Ｐが形成されている。
【００１４】
連結板６ｃの両端には、連結板６ｃの中央部を、はね上げ側仕切り板６ａと略平行に延在した一対の板状の取付突片６ｄが突設されている。取付突片６ｄには、はね上げ側仕切り板６ａ側に位置する垂直スリットｓ１と、垂直スリットｓ１の上下端から、取付突片６ｄの自由端６ｄ１方向に、略水平に延在する一対の水平スリットｓ２とにより形成される一対の係合舌片６ｅが形成されている。また、連結板６ｃ側に位置するはね上げ側仕切り板６ａと連結板６ｃとの間に位置する分割側仕切り板６ｂの中央及びはね上げ側仕切り板６ａ間に位置する分割側仕切り板６ｂの中央には、垂直なミシン目６ｆが形成されており、このミシン目６ｆ部分を、外側に移動させて、分割側仕切り板６ｂの一対のはね上げ側仕切り板６ａ間に位置する部分及びはね上げ側仕切り板６ａと連結板６ｃとの間に位置する部分を、重ねるように折り畳むことにより、図６に示されているように、偏平状に折り畳むことができるように構成されている。なお、ミシン目６ｆに代えて、縦長の細溝を、適当な間隔で形成することもできる。また、中仕切り部材６の折り畳みをより容易にするために、はね上げ側仕切り板６ａと分割側仕切り板６ｂの交差部付近に位置するはね上げ側仕切り板６ａ或いは分割側仕切り板６ｂに、ミシン目や縦長の細溝を形成し、この部分の折り曲げを容易にすることが好ましい。
【００１５】
はね上げ側壁３には、その垂直中心線Ｌを挟んで、対称に、縦長の内側細溝７ａが穿設されており、内側細溝７ａの高さｈ１は、中仕切り部材６の取付突片６ｄの高さｈ２より、若干、高く形成されている。また、内側細溝７ａの外側には、同じく、縦長の外側細溝７ｂが穿設されている。内側細溝７ａの上下方向の中心点と、外側細溝７ｂの上下方向の中心点とは、同じ水平線上に位置するように構成されている。
【００１６】
外側細溝７ｂの高さｈ３は、中仕切り部材６の取付突片６ｄの高さｈ２より、若干、高く形成されているが、内側細溝７ａの高さｈ１と略同じか、それより低く構成されている。また、外側細溝７ｂを形成する上端縁７ｂ１には、内側細溝７ａに向かって、下方に傾斜する上部傾斜部７ｂ１’が形成されており、また、外側細溝７ｂを形成する下端縁７ｂ２には、内側細溝７ａに向かって、上方に傾斜する下部傾斜部７ｂ２’が形成されている。そして、上部傾斜部７ｂ１’と外側細溝７ｂの内側細溝７ａ側の垂直縁７ｂ３とにより形成される上部隅部７ｂ４と、下部傾斜部７ｂ２’と外側細溝７ｂの内側細溝７ａ側の垂直縁７ｂ３とにより形成される下部隅部７ｂ５との間隔ｄ１は、中仕切り部材６の取付突片６ｄの高さｈ２より狭く形成されており、上部傾斜部７ｂ１’と下部傾斜部７ｂ２’の傾斜面間の大部分の間隔は、中仕切り部材６の取付突片６ｄの高さｈ２より狭く形成されている。そして、上記の１個の内側細溝７ａと１個の外側細溝７ｂとにより、中仕切り部材係止部材７が構成されており、中仕切り部材係止部材７は、上述した垂直中心線Ｌを挟んで、対称に、一対形成されている。
【００１７】
上述した構成を有する中仕切り部材６は、合成樹脂で形成されることが好ましく、中仕切り部材６を構成するはね上げ側仕切り板６ａ、分割側仕切り板６ｂ及び係合舌片６ｅを含め取付突片６ｄは、適度な弾性を有している。
【００１８】
次に、主として、図９及び図１０を用いて、はね上げ側壁３への中仕切り部材６の取り付けについて説明する。
【００１９】
箱型に組み立てられた状態の折り畳みコンテナー内に、中仕切り部材６を配置した後、中仕切り部材６の取付突片６ｄの自由端６ｄ１を、図９に示されているように、内側細溝７ａに挿通し、一旦、自由端６ｄ１を、折り畳みコンテナーの外側、即ち、はね上げ側壁３の外壁面側に出し、次いで、外側に出された取付突片６ｄの自由端６ｄ１を、折り畳みコンテナーの外側、即ち、はね上げ側壁３の外壁面から、外側細溝７ｂに挿通し、折り畳みコンテナー内に導入する。次いで、中仕切り部材６の取付突片６ｄに形成された係合舌片６ｅを、外側細溝７ｂから抜け出させ、その後、係合舌片６ｅを、図１０に示されているように、はね上げ側壁３の内側細溝７ａと外側細溝７ｂとの間に位置する部分に重ねるようにして、はね上げ側壁３の内側細溝７ａと外側細溝７ｂとの間に位置する部分を、中仕切り部材６の取付突片６ｄと、取付突片６ｄに形成された係合舌片６ｅとで、弾性的に挟持するようにして、中仕切り部材６を、はね上げ側壁３に取り付ける。
【００２０】
上述したようにして、中仕切り部材６を、はね上げ側壁３に取り付けることになるが、中仕切り部材６が、はね上げ側壁３に取り付けられた際には、中仕切り部材６の取付突片６ｄが、その間隔が、中仕切り部材６の取付突片６ｄの高さｈ２より狭いはね上げ側壁３に穿設された外側細溝７ｂの上部傾斜部７ｂ１’と下部傾斜部７ｂ２’の傾斜面に当接するように構成されているので、中仕切り部材６の取付突片６ｄが、外側に湾曲し弾性変形し、この弾性変形による取付突片６ｄの反力により、中仕切り部材６の取付突片６ｄが、強固に、外側細溝７ｂに挿着され、従って、はね上げ側壁３に対する中仕切り部材６の移動量が少ないので、中仕切り部材６の収容空間Ｓに収容される物品の移動を少なくすることができるとともに、中仕切り部材６が、はね上げ側壁３から、簡単に外れるようなことを防止することができる。
【００２１】
上述した構成を有する中仕切り部材６は、折り畳みコンテナーの相対するはね上げ側壁３に、それぞれ取り付けられ、そして、相対するはね上げ側壁３に取り付けられた一対の中仕切り部材６の連結板６ｃより遠い方に位置するはね上げ側仕切り板６ａは、互いに、当接或いは近接するように構成されている。従って、本実施例においては、はね上げ側仕切り板６ａ、分割側仕切り板６ｂ、連結板６ｃ、はね上げ側壁３の内壁面及び分割側壁４の内壁面とにより区画された物品が収容される収容空間Ｐは、１つの中仕切り部材６で、６個、２つの中仕切り部材６で、合計１２個、形成されるように構成されている。
【００２２】
箱型に組み立てられた状態の折り畳みコンテナーを、図４に示されているように、折り畳んだ際には、中仕切り部材６は、略水平状態に回動されたはね上げ側壁３の上方に、図３や図６に示されているように、偏平状に折り畳まれた状態で位置することになり、また、折り畳みコンテナーに、蓋部材５が配設されている場合には、中仕切り部材６は、偏平状に折り畳まれた状態で、はね上げ側壁３と蓋部材５とにより、挟持されることになる。
【００２３】
上述したように、折り畳みコンテナーのはね上げ側壁３には、その垂直中心線Ｌを挟んで、対称に、縦長の内側細溝７ａ及び縦長の外側細溝７ｂを穿設し、また、中仕切り部材６には、はね上げ側壁３のはね上げ側壁３に穿設された内側細溝７ａと外側細溝７ｂに挿通される取付突片６ｄを形成するとともに、取付突片６ｄには、垂直スリットｓ１と一対の水平スリットｓ２とにより形成される係合舌片６ｅとを設け、取付突片６ｄと係合舌片６ｅとにより、はね上げ側壁３の内側細溝７ａと外側細溝７ｂとの間に位置する部分を挟持するように構成したので、はね上げ側壁３に、複雑で、大きな切り欠きを設けた従来の折り畳みコンテナーに比べて、はね上げ側壁の強度、ひいては、折り畳みコンテナーの強度が、大きく低下するようなことはない。
【００２４】
また、はね上げ側壁３の内側細溝７ａと外側細溝７ｂとの間に位置する部分を、中仕切り部材６の取付突片６ｄと係合舌片６ｅとにより、弾性的に挟持するように構成したので、中仕切り部材６が、はね上げ側壁３に、しっかりと取り付けられるとともに、中仕切り部材６が、はね上げ側壁３から外れたり、はね上げ側壁３から浮き上がるようなこともない。
【００２５】
更に、上述したようにして、中仕切り部材６を、はね上げ側壁３に取り付けることになるが、中仕切り部材６が、はね上げ側壁３に取り付けられた際には、中仕切り部材６の取付突片６ｄが、その間隔が、中仕切り部材６の取付突片６ｄの高さｈ２より狭い、はね上げ側壁３に穿設された外側細溝７ｂの上部傾斜部７ｂ１’と下部傾斜部７ｂ２’の傾斜面に当接するように構成されているので、中仕切り部材６の取付突片６ｄが、外側に湾曲し弾性変形し、この弾性変形による取付突片６ｄの反力により、中仕切り部材６の取付突片６ｄが、強固に、外側細溝７ｂに挿着されることになり、従って、はね上げ側壁３に対する中仕切り部材６の移動量が少なく、中仕切り部材６の収容空間Ｐに収容される物品の移動を少なくすることができるとともに、中仕切り部材６が、簡単には、はね上げ側壁３から外れるようなことを防止することができる。
【００２６】
上述した実施例においては、中仕切り部材６を構成するはね上げ側仕切り板６ａ及び分割側仕切り板６ｂの上端及び下端が、同じ仮想平面を形成するように、同じ高さに形成されているが、はね上げ側仕切り板６ａの上端と下端は、必ずしも、分割側仕切り板６ｂの上端と下端と同じ高さに形成されている必要はない。また、折り畳みコンテナーを箱型に組み立てた際に、はね上げ側仕切り板６ａの上端と分割側仕切り板６ｂの上端が、上部フレーム１まで延在している必要はなく、収容される物品に応じて、折り畳みコンテナーの全体の高さの半分程度まで延在していれば十分の場合もある。また、はね上げ側仕切り板６ａの下端或いは／及び分割側仕切り板６ｂの下端は、箱型に組み立てられた状態における中仕切り部材６の安定度を考慮して、底部２に載置されるように構成することが好ましい。
【００２７】
図１１には、中仕切り部材６の取付突片６ｄの別の実施例が示されている。この実施例においては、取付突片６ｄは、上述した取付突片６ｄの高さｈ２より低い高さを有する中間板６ｇと、中間板６ｇに一体的に連接された、上述した取付突片６ｄの高さｈ２と同じ高さを有する先端部板６ｈとを有している。そして、中間板６ｇの上下水平縁を、先端部板６ｈ方向へ延長するように、水平スリットｓ３が形成されており、このスリットｓ３により、上述した係合突片６ｅと同様の係合突片６ｉが形成されている。取付突片６ｄを、図９に示されていると同様に、内側細溝７ａに挿通し、一旦、折り畳みコンテナーの外側、即ち、はね上げ側壁３の外壁面側に出し、次いで、外側に出された取付突片６ｄを、折り畳みコンテナーの外側、即ち、はね上げ側壁３の外壁面から、外側細溝７ｂに挿通し、折り畳みコンテナー内に導入し、次いで、中仕切り部材６の取付突片６ｄに形成された係合舌片６ｉを、外側細溝７ｂから抜け出させ、その後、係合舌片６ｉを、図１０に示されている上述した係合突片６ｅと同様に、はね上げ側壁３の内側細溝７ａと外側細溝７ｂとの間に位置する部分に重ねるようにして、はね上げ側壁３の内側細溝７ａと外側細溝７ｂとの間に位置する部分を、中間板６ｇと係合舌片６ｉとで、弾性的に挟持するようにして、中仕切り部材６を、はね上げ側壁３に取り付ける。
【００２８】
【発明の効果】
本発明は、以上説明したように構成されているので、以下に記載されるような効果を奏する。
【００２９】
はね上げ側壁には、その垂直中心線を挟んで、対称に、縦長の内側細溝と同じく縦長の外側細溝を穿設し、また、中仕切り部材には、上記内側細溝と外側細溝に挿通される取付突片を形成するとともに、取付突片には係合舌片を形成し、取付突片と係合舌片とにより、はね上げ側壁の内側細溝と外側細溝との間に位置する部分を挟持するようにしたので、はね上げ側壁に、複雑で、大きな切り欠きを設けた従来の折り畳みコンテナーに比べて、はね上げ側壁の強度、ひいては、折り畳みコンテナーの強度が、大きく低下するようなことはなく、しかも、中仕切り部材が、はね上げ側壁に、しっかりと取り付けられているので、中仕切り部材が、はね上げ側壁から外れたり、はね上げ側壁から浮き上がるようなこともない。
【００３０】
中仕切り部材に形成された取付突片が、中仕切り部材の取付突片の高さより狭い間隔を有するはね上げ側壁に穿設された外側細溝の上部傾斜部と下部傾斜部の傾斜面に当接し、弾性変形するように構成されているので、中仕切り部材の取付突片が、強固に、外側細溝に挿着されることになり、従って、はね上げ側壁に対する中仕切り部材の移動量が少なく、中仕切り部材の収容空間に収容される物品の移動を少なくすることができるとともに、中仕切り部材が、簡単には、はね上げ側壁から外れるようなことを防止することができる。
【図面の簡単な説明】
【図１】図１は蓋部材で被蓋された箱型に組み立てられた状態の本発明の折り畳みコンテナーの斜視図である。
【図２】図２は蓋部材が開けられ箱型に組み立てられた状態の本発明の折り畳みコンテナーの斜視図である。
【図３】図３は本発明の折り畳みコンテナーのはね上げ側壁が略水平状態に回動されているとともに分割側壁が折り畳まれる途中の斜視図である。
【図４】図４は本発明の折り畳みコンテナーが折り畳まれた状態の斜視図である。
【図５】図５は本発明の折り畳みコンテナーに取り付けられる中仕切り部材の斜視図である。
【図６】図６は本発明の折り畳みコンテナーに取り付けられる中仕切り部材の偏平状態に折り畳まれた状態の斜視図である。
【図７】図７は中仕切り部材が取り付けられていない状態の本発明の折り畳みコンテナーの側面図である。
【図８】図８は本発明の折り畳みコンテナーのはね上げ側壁の中仕切り部材が取り付けられていない状態の部分拡大正面図である。
【図９】図９は本発明の折り畳みコンテナーのはね上げ側壁及び中仕切り部材の部分拡大斜視図である。
【図１０】図１０は図９と同様の本発明の折り畳みコンテナーのはね上げ側壁及び中仕切り部材の部分拡大斜視図である。
【図１１】図１１は本発明の折り畳みコンテナーの別の実施例の中仕切り部材の部分拡大正面図である。
【符号の説明】
１・・・・・・・・上部フレーム
２・・・・・・・・底部
３・・・・・・・・はね上げ側壁
４・・・・・・・・分割側壁
５・・・・・・・・蓋部材
６・・・・・・・・中仕切り部材
６ｄ・・・・・・・取付突片
６ｅ・・・・・・・係合舌片
７ａ・・・・・・・内側細溝
７ｂ・・・・・・・外側細溝
【図１】
0004404506.tif 000002
【図２】
0004404506.tif 000003
【図３】
0004404506.tif 000004
【図４】
0004404506.tif 000005
【図５】
0004404506.tif 000006
【図６】
0004404506.tif 000007
【図７】
0004404506.tif 000008
【図８】
0004404506.tif 000009
【図９】
0004404506.tif 000010
【図１０】
0004404506.tif 000011
【図１１】
0004404506.tif 000012